(57)【要約】【課題】部品点数を増大させることなく、少ない部品点数で、指針の天面部を照明できる外観品質の良好なメータ指針照明構造を提供する。【解決手段】カバーキャップ部材１４には、表面側が金属調の色彩を有して、半透明のハーフミラー層１５が形成されてると共に、ハーフミラー層１５の下面側には、上面視で、指針本体１３の上面部１３ｉと重複する部分にスリット１６ａが形成された遮光層が設けられている。【選択図】  図１
2004325152.tif 000002
【特許請求の範囲】
【請求項１】
計器の指針本体の内部に、指針下方から指針回動軸に沿って照明光を導入すると共に、前記指針本体の上面部を該照明光で照明すると共に、前記指針本体には、前記指針回動軸の上方に位置する基部を覆うカバーキャップ部材が装着されたメータ指針照明構造であって、
前記カバーキャップ部材には、表面側は色彩を有して、半透明の光透過層を形成すると共に、該光透過層の下面側には、上面視で、前記指針本体の上面部と重複する部分にスリットが形成された遮光層を設けていることを特徴とするメータ指針照明構造。
【発明の詳細な説明】
【０００１】
【発明の属する技術分野】
この発明は、車両用のメータ装置等に設けられるメータ指針照明構造に関し、特に、昼夜の表示を異ならせることができるメータ指針照明構造に関する。
【０００２】
【従来の技術】
従来、図８に示すような自動車等の車両に搭載されるメータ装置のメータ指針照明構造が知られている（例えば、特許文献１参照）。
【０００３】
まず、構成から説明すると、この従来のメータ指針照明構造では、計器としての車両用メータ１の指針２が、指針回動軸３を、文字板４に形成された挿通開口部５に回動可能に挿通されて設けられている。
【０００４】
この指針２の指針本体６は、透光性材料によって構成されていて、この指針２の下方に位置する文字板４の下面側４ａに設けられた導光部材７を介して導かれた光源８からの照明光を、前記指針回動軸３の軸線方向に沿わせて、この指針本体６内に導入するように構成されている。
【０００５】
この指針本体６の内部には、前記指針回動軸３の上方に半透光性光拡散部材９が設けられていて、傾斜反射面９ａによって、指針本体６の先端６ｂ方向に向けて、この指針本体６内を上方に向けて導入された照明光を反射させると共に、この指針回動軸３の上方に向かう照明光を拡散させるように構成されている。
【０００６】
また、この指針本体６の上面部６ａの略全長に渡り、ホットスタンプ１０が設けられている。
【０００７】
次に、この従来のメータ指針照明構造の作用について説明する。
【０００８】
このように構成された図８に示す従来のメータ指針照明構造では、前記指針２の下方に位置する文字板４の下面側４ａに設けられた導光部材７を介して導かれた光源８からの照明光が、前記指針回動軸３の軸線方向に沿って、この指針本体６内に導入される。
【０００９】
この照明光の一部は、前記傾斜反射面９ａによって、指針本体６の先端６ｂ方向に向けて反射されて、この指針本体６を略全長に渡り照明する。
【００１０】
また、この照明光のうち、前記指針回動軸３の上方に向かう照明光は、前記半透光性光拡散部材９によって拡散される。
【００１１】
このため、前記指針回動軸３の上方に位置する指針本体６の上面部６ａの領域ａは、他の上面部６ａの領域ｂ，ｃと同様に、略均一の光量で照明される。
【００１２】
また、前記指針本体６の上面部６ａには、ホットスタンプ１０が設けられているので、指針本体６の内部の半透光性光拡散部材９等の機能部品が、外部から視認されることがない。
【００１３】
このため、外観品質を良好なものとすることができる。
【００１４】
【特許文献１】
実公平６−７３１０号公報（図１）
【００１５】
【発明が解決しようとする課題】
しかしながら、前記図８に示すような従来のメータ指針照明構造では、前記指針回動軸３の上方に向かう照明光が、前記半透光性光拡散部材９によって拡散されるように構成されている。
【００１６】
このため、前記指針本体６と、前記半透光性光拡散部材９とを別体で構成した後、この指針本体６に、前記半透光性光拡散部材９を組み付けなければならず、部品点数が増大すると共に、組み付け作業性も良好であるとは言い難かった。
【００１７】
また、前記指針本体６の内部の半透光性光拡散部材９等の機能部品が、外部から視認されることがないように、指針本体６の上面部６ａにホットスタンプ１０が設けられているが、このホットスタンプ１０の形成工程が増大する分、製造コストが上昇してしまうといった問題もあった。
【００１８】
そこで、本発明の目的は、部品点数を増大させることなく、少ない部品点数で、指針の天面部を照明できる外観品質の良好なメータ指針照明構造を提供することにある。
【００１９】
【課題を解決するための手段】
本発明は、かかる問題点に着目してなされたもので、請求項１に係る発明では、計器の指針本体の内部に、指針下方から指針回動軸に沿って照明光を導入すると共に、前記指針本体の上面部を該照明光で照明すると共に、前記指針本体には、前記指針回動軸の上方に位置する基部を覆うカバーキャップ部材が装着されたメータ指針照明構造であって、前記カバーキャップ部材には、表面側は色彩を有して、半透明の光透過層を形成すると共に、該光透過層の下面側には、上面視で、前記指針本体の上面部と重複する部分にスリットが形成された遮光層を設けているメータ指針照明構造を特徴としている。
【００２０】
このように構成された請求項１記載のものでは、昼間等、前記照明光が、前記指針本体内に導入されていない状態では、前記指針本体の基部が、カバーキャップ部材の光透過層及び遮光層によって覆われているので、外部からの視線が遮られて内部機構が視認できない。
【００２１】
このため、外観品質が良好である。
【００２２】
また、夜間等、前記照明光が指針本体内に導入されると、前記指針本体の上面部が発光して、前記遮光層のスリット及び前記半透明の光透過層を介して、外部からスリット状に視認される。
【００２３】
このため、前記指針下方から指針回動軸に沿って導入される照明光が、前記光透過層を通過する際に、減光されて、該カバーキャップ部材によって覆われていない指針本体の他の上面部と同等の発光量で、外部から視認される。
【００２４】
従って、指針本体の全長に渡り均一な発光量を得ることが出来、外観品質が良好である。
【００２５】
また、前記従来のような半透光性拡散部材が不要であるので、部品点数が増大する虞が無い。
【００２６】
更に、前記光透過層及び遮光層によって、内部機構が見えないので、従来のようなホットスタンプが不要である。
【００２７】
このため、組み付け及び印刷工程等、製造工程を簡略化出来て、製造コストの増大が抑制できる。
【００２８】
【発明の実施の形態１】
図１乃至図７は、この発明の実施の形態１のメータ指針照明構造を示すものである。
【００２９】
なお、前記従来例と同一乃至均等な部分については、同一符号を付して説明する。
【００３０】
まず、構成から説明すると、この実施の形態１のメータ指針照明構造では、計器としての車両用メータ１１の指針１２が、指針本体１３及びこの指針本体１３の円盤状の基部１３ａを覆うカバーキャップ部材１４とを有して主に構成されている。
【００３１】
このうち、前記指針本体１３は、前記基部１３ａに上端が一体に接続される指針回動軸１３ｂが設けられている。この指針回動軸１３ｂは、前記文字板４に形成された挿通開口部５に回動可能に挿通されて設けられている。
【００３２】
この指針本体１３の内部には、前記基部１３ａの上部に、側面視略逆台形形状の空隙部１３ｃが形成されている。
【００３３】
そして、前記指針本体１３が、透光性材料によって構成されることにより、図３に示すように、この指針１２の下方に位置する文字板４の下面側４ａに設けられた導光部材７を介して導かれた光源８からの照明光が、前記指針回動軸１３ｂの軸線１３ｄ方向に沿って、この指針本体１３内に導入されるように構成されている。
【００３４】
この指針本体１３の前記空隙部１３ｃの前端面には、前側傾斜反射面１３ｅが、また、後端面には、後側傾斜反射面１３ｆが各々形成されている。
【００３５】
この前側傾斜反射面１３ｅは、指針本体１３の先端１３ｊ方向に向けて、この指針本体１３内を上方に向けて導入された照明光が、一部反射されると共に、透過された照明光が上方に向けて導かれて、前記指針本体１３の上面部１３ｉが照明されるように構成されている。
【００３６】
また、前記後側傾斜反射面１３ｆは、指針本体１３の後端１３ｇ近傍に形成された端部反射面１３ｈ方向に向けて、この指針本体１３内を上方に向けて導入された照明光が、一部反射されると共に、上方に向けて透過された照明光及び、この端部反射面１３ｈで反射された照明光とによって、前記指針本体１３の上面部１３ｉが照明されるように構成されている。
【００３７】
更に、この基部１３ａ及び基部１３ａの上方に位置する上面部１３ｉの領域ａには、前記カバーキャップ部材１４が、嵌着されて設けられている。
【００３８】
このカバーキャッブ部材１４は、透明樹脂製材料で構成されて、円板状の上面部１４ｄを円筒状の側面部１４ｅの一端側に一体に有することにより、上側開口部が塞がれた有蓋円筒形状を呈する透明キャップ部材１４ａから主に構成されている。
【００３９】
この透明キャップ部材１４ａの前，後側面部には、前記指針本体１３が挿通される前，後切欠部１４ｂ，１４ｃが形成されている。
【００４０】
前記カバーキャップ部材１４には、図３又は図４に示すように、表面側が金属調の色彩を有する半透明の光透過層としてのハーフミラー層１５が、形成されている。
【００４１】
このハーフミラー層１５は、蒸着或いは塗装によって形成されて、前記透明キャップ部材１４ａの上面部１４ｄ及び側面部１４ｅに一定の厚みを有して設けられている。
【００４２】
また、このハーフミラー層１５の下面側で、前記透明キャップ部材１４ａの上面部１４ｄ及び側面部１４ｅに渡る裏面側には、遮光層としての暗色塗装層１６が設けられている。
【００４３】
この暗色塗装層１６には、図６に示すように、上面視で、前記指針本体１３の上面部１３ｉと重複する部分にスリット１６ａが形成されている。
【００４４】
そして、この実施の形態１の車両用メータ１１の指針１２は、図２又は図５に示されるように、前記文字板４及びロアケース１７ａを収納するハウジングケース１７内に、前記指針回動軸１３ｂが接続されるムーブメント１８と共に装着されている。
【００４５】
このハウジングケース１７の前側開口部１７ｂには、光透過率が所定の値となる着色樹脂材料からなるフロントカバーパネル部材１９が設けられている。
【００４６】
そして、このフロントカバーパネル部材１９を介して、前記指針１２が車室内の乗員側から視認可能となるように構成されていて、夜間でも、前記指針１２の照明光によって、周囲とのコントラストを向上させたいわゆるハイコントラストメータが構成されるようにしている。
【００４７】
次に、この実施の形態１の作用について説明する。
【００４８】
この実施の形態１では、前記光源８を点灯しない昼間等では、前記照明光が、前記指針本体１３内に導入されていない状態となり、前記指針本体１３の基部１３ａが、図３及び図４に示すように、前記カバーキャップ部材１４の暗色塗装層１６及びハーフミラー層１５によって覆われているので、図６に示すように、外部からの視線が遮られて内部機構が視認できない。
【００４９】
このため、外観品質が良好である。
【００５０】
特に、カバーキャップ部材１４の上面部１４ｄでは、前記暗色塗装層１６のスリット１６ａが、前記ハーフミラー層１５によって覆われているので、視認されることがない。このため、前記カバーキャップ部材１４の表面は、上面部１４ｄ及び側面部１４ｅに渡り、略均一に金属調の色彩を帯びて視認されるので、外観品質が良好である。
【００５１】
また、夜間等、前記光源８の照明光が、図３に示すように、前記導光部材７を介して指針本体１３内に導入されると、前記指針本体１３に形成された前記空隙部１３ｃの前端面では、前側傾斜反射面１３ｅが、指針本体１３の先端１３ｊ方向に向けて、この指針本体１３内を上方に向けて導入された照明光を、一部反射させると共に、透過された照明光が上方に向けて導かれて、前記指針本体１３の上面部１３ｉが照明される。
【００５２】
また、前記後側傾斜反射面１３ｆでは、指針本体１３の後端１３ｇ近傍に形成された端部反射面１３ｈ方向に向けて、この指針本体１３内を上方に向けて導入された照明光が、一部反射されると共に、上方に向けて透過された照明光及び、この端部反射面１３ｈで反射された照明光とによって、前記指針本体１３の上面部１３ｉが照明される。
【００５３】
このような上方に向けて透過された照明光によって、前記指針本体１３の上面部１３ｉが発光すると、前記暗色塗装層１６のスリット１６ａ及び前記半透明のハーフミラー層１５を介して、図７に示すように、外部から、この上面部１３ｉの領域ａ部分が、前記カバーキャップ部材１４の上面部１４ｄの中央を横断するようなスリット状に視認される。
【００５４】
この際、図３に示すように、前記指針１２下方から指針回動軸１３ｂに沿って導入される照明光が、前記ハーフミラー層１５を通過する際に、減光される。
【００５５】
従って、図７に示すように、この上面部１３ｉの領域ａは、カバーキャップ部材１４によって覆われていない指針本体１３の上面部１３ｉの他の領域ｂ，ｃと同等の発光量で、外部から視認される。
【００５６】
従って、指針本体１３の全長に渡り均一な発光量を得ることが出来、外観品質が良好である。
【００５７】
また、前記従来のような半透光性拡散部材９が不要であるので、部品点数が増大する虞が無い。
【００５８】
更に、このカバーキャップ部材１４では、前記ハーフミラー層１５及び遮光層１６によって、内部機構が見えないので、従来のようなホットスタンプが不要である。
【００５９】
このため、前記半透光性拡散部材９の組み付け及び、ホットスタンプ等の印刷工程等、製造工程を簡略化出来て、製造コストの増大が抑制できる。
【００６０】
特に、前記半透光性拡散部材９の組み付けは、この実施の形態１の指針本体１３の基部１３ａのように、左，右側面に開口形成された空隙部１３ｃに、この半透光性拡散部材９を左，右何れかの側方から挿入して組み付けなければならず、自動組み付け機械による組付けが困難であった。
【００６１】
この実施の形態１の指針本体１３では、前記半透光性拡散部材９の組み付けが、不要で、しかも、前記カバーキャップ部材１４は上方から前記指針本体１３の基部１３ａに嵌着させるだけで組み付けられるので、自動組み付け機械による組付け作業性が良好で、このような自動組み付け機械が用いられる製造工程によって製造するのに好適である。
【００６２】
以上、図面を参照して、本発明の実施の形態１のメータ指針照明構造を詳述してきたが、具体的な構成は、この実施の形態１に限らず、本発明の要旨を逸脱しない程度の設計的変更は、本発明に含まれる。
【００６３】
例えば、前記実施の形態１では、前記指針本体１３に前記空隙部１３ｃを形成することにより、前端面には、前側傾斜反射面１３ｅが、また、後端面には、後側傾斜反射面１３ｆが各々形成されているが、特にこれに限らず、前記前，後側傾斜反射面部１３ｅ，１３ｆを前記基部１３ａの何れかの部分に設ければ、特に空隙部１３ｃを形成する必要はない。
【００６４】
また、前記カバーキャップ部材１４は、主に、有蓋円筒形状の透明キャップ部材１４ａから構成されているが、有蓋六角筒形状、又は有蓋八角筒形状等の多角筒形状であってもよく、前記カバーキャップ部材１４を構成する透明キャップ部材１４ａの形状、及び材質が特に限定されるものではない。
【００６５】
更に、この実施の形態１では、前記ハーフミラー層１５の下面側で、前記透明キャップ部材１４ａの上面部１４ｄ及び側面部１４ｅに渡る裏面側には、遮光層としての暗色塗装層１６が設けられているが、特にこれに限らず、前記ハーフミラー層１５の下面側で、前記透明キャップ部材１４ａの上面部１４ｄ及び側面部１４ｅに渡る表面側に、前記ハーフミラー層１５に隣接されて設けられてもよい。
【００６６】
【発明の効果】
上述してきたように、請求項１記載のものでは、昼間等、前記照明光が、前記指針本体内に導入されていない状態では、前記指針本体の基部が、カバーキャップ部材の光透過層及び遮光層によって覆われているので、外部からの視線が遮られて内部機構が視認できない。
【００６７】
このため、外観品質が良好である。
【００６８】
また、夜間等、前記照明光が指針本体内に導入されると、前記指針本体の上面部が発光して、前記遮光層のスリット及び前記半透明の光透過層を介して、外部からスリット状に視認される。
【００６９】
このため、前記指針下方から指針回動軸に沿って導入される照明光が、前記光透過層を通過する際に、減光されて、該カバーキャップ部材によって覆われていない指針本体の他の上面部と同等の発光量で、外部から視認される。
【００７０】
従って、指針本体の全長に渡り均一な発光量を得ることが出来、外観品質が良好である。
【００７１】
また、前記従来のような半透光性拡散部材が不要であるので、部品点数が増大する虞が無い。
【００７２】
更に、前記光透過層及び遮光層によって、内部機構が見えないので、従来のようなホットスタンプが不要である。
【００７３】
このため、組み付け及び印刷工程等、製造工程を簡略化出来て、製造コストの増大が抑制できる、という実用上有益な効果を発揮する。
【図面の簡単な説明】
【図１】本発明の実施の形態１のメータ指針照明構造を示し、指針の構成を説明する斜視図である。
【図２】実施の形態１のメータ指針照明構造を示し、指針が用いられるメータの正面図である。
【図３】実施の形態１のメータ指針照明構造で、図１中Ａ−Ａ線に沿った位置での要部の断面図である。
【図４】実施の形態１のメータ指針照明構造で、図１中Ｂ−Ｂ線に沿った位置での要部の断面図である。
【図５】実施の形態１のメータ指針照明構造で、図２中Ｃ−Ｃ線に沿った位置での断面図である。
【図６】実施の形態１のメータ指針照明構造で、非点灯状態におけるカバーキャップ部材の上面図である。
【図７】実施の形態１のメータ指針照明構造で、点灯状態におけるカバーキャップ部材の上面図である。
【図８】従来のメータ指針照明構造で、指針延設方向に沿った要部の縦断面図である。
【符号の説明】
１１                車両用メータ
１２                指針
１３                指針本体
１３ａ              基部
１３ｂ              指針回動軸
１３ｄ              軸線
１３ｉ              上面部
１４                カバーキャップ部材
１５                ハーフミラー層（光透過層）
１６                暗色塗装層（遮光層）
１６ａ              スリット
【図１】
2004325152.tif 000003
【図２】
2004325152.tif 000004
【図３】
2004325152.tif 000005
【図４】
2004325152.tif 000006
【図５】
2004325152.tif 000007
【図６】
2004325152.tif 000008
【図７】
2004325152.tif 000009
【図８】
2004325152.tif 000010